(57)【要約】      （修正有）【課題】日々変更される上映作品や上映時間にも対応してユーザの身近な映画館の上映時間を提示可能なバナー広告を提供する。【解決手段】バナー公告提供システム１において、バナー公告配信システム３は、映画館の情報を、少なくとも１日に１回以上の頻度で、更新登録する映画館情報収集部を有する第１のサブシステム１０と、ユーザ端末からユーザ識別情報を受け付けるユーザ識別情報受付部、ユーザ識別情報に基づき提示上映作品及び提示エリアを決定する提示上映作品・提示エリア決定部、提示上映作品名、映画館名、上映作品の上映時間、提示上映作品のチケット購入用押下部を表示するバナー広告生成部及びバナー広告をユーザ端末側に送信するバナー広告送信部を備える第２のサブシステム２０と、を有する。【選択図】図１
2020160671.tif 000002
【特許請求の範囲】
【請求項１】
１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、記憶部に、少なくとも１日に１回以上の頻度で、更新登録する映画館情報登録部と、
ユーザ端末からユーザ識別情報を受け付けるユーザ識別情報受付部と、
前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するユーザ識別情報取得部と、
前記ユーザ識別情報に対応するユーザ情報の少なくとも一部に基づいて、提示上映作品及び提示エリアを決定する提示上映作品・提示エリア決定部と、
決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するバナー広告生成部と、
前記バナー広告を表示するための情報を前記ユーザ端末側に送信するバナー広告送信部と、
前記バナー広告を表示するための情報を受信し、前記ユーザ端末上に前記バナー広告を表示し、前記ユーザが前記提示上映作品のチケット購入用押下部を押下したことに応じて、前記提示上映作品の識別情報、前記提示エリアを含むチケット購入用ページ生成用情報をチケット購入中間ページ生成部に送信するユーザ端末と、
前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成し、前記ユーザ端末側に送信する前記チケット購入中間ページ生成部と、
を含むバナー広告提供システム。
【請求項２】
１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、記憶部に、少なくとも１日に１回以上の頻度で、更新登録する映画館情報登録部と、
ユーザ端末からユーザ識別情報を受け付けるユーザ識別情報受付部と、
前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するユーザ識別情報取得部と、
前記ユーザ識別情報に対応するユーザ情報の少なくとも一部に基づいて、提示上映作品及び提示エリアを決定する提示上映作品・提示エリア決定部と、
決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するバナー広告生成部と、
前記バナー広告を表示するための情報を前記ユーザ端末側に送信するバナー広告送信部と、
を含むバナー広告配信システム。
【請求項３】
前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するチケット購入中間ページ生成部を更に含み、
前記チケット購入中間ページは、前記提示エリアに対応する、前記提示上映作品を上映する１つ又は複数の映画館が提供する前記提示上映作品のチケット購入ページへのリンク情報を含む請求項２に記載のバナー広告配信システム。
【請求項４】
前記各エリアに対応付けられた、前記１つ又は複数の提示上映候補作品の各々を上映する１つ又は複数の映画館の前記映画館の情報は、前記１つ又は複数の提示上映候補作品の各々の混雑状況を含み、
前記バナー広告生成部は、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示候補上映作品を上映する映画館名、前記提示上映作品の上映時間、前記提示上映作品の混雑状況、前記提示上映作品のチケット購入用押下部を表示するバナー広告を表示するための情報を生成する請求項２又は３に記載のバナー広告配信システム。
【請求項５】
第１のサブシステム、第２のサブシステム、及びユーザ端末を含むバナー広告配信システムであって、
前記第１のサブシステムは、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、前記第２のサブシステムの第２の記憶部に、少なくとも１日に１回以上の頻度で、更新登録し、
前記第２のサブシステムは、
ユーザ端末からユーザ識別情報を受け付け、
前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、
前記ユーザ識別情報に対応するユーザ情報の少なくとも一部に基づいて、提示上映作品及び提示エリアを決定し、
決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、
前記バナー広告を表示するための情報を前記ユーザ端末に送信し、
前記ユーザ端末は、前記バナー広告を表示するための情報を受信し、前記ユーザ端末上に前記バナー広告を表示し、前記ユーザが前記提示上映作品のチケット購入用押下部を押下したことに応じて、前記提示上映作品の識別情報、前記提示エリアを含むチケット購入用ページ生成用情報を前記第１のサブシステムに送信し、
前記第１のサブシステムは、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成するための情報を生成し、前記ユーザ端末側に送信するバナー広告提供システム。
【請求項６】
第１のサブシステム及び第２のサブシステムを含むバナー広告配信システムであって、
前記第１のサブシステムは、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部に、少なくとも１日に１回以上の頻度で、更新登録し、
前記第２のサブシステムは、
ユーザ端末からユーザ識別情報を受け付け、
前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、
前記ユーザ識別情報に対応するユーザ情報の少なくとも一部に基づいて、提示上映作品及び提示エリアを決定し、
決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、
前記バナー広告を表示するための情報を前記ユーザ端末側に送信する含むバナー広告配信システム。
【請求項７】
前記第１のサブシステムは、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末に送信し、
前記チケット購入中間ページは、前記提示エリアに対応する、前記提示上映作品を上映する１つ又は複数の映画館が提供する前記提示上映作品のチケット購入ページへのリンク情報を含む請求項６に記載のバナー広告配信システム。
【請求項８】
前記各エリアに対応付けられた、前記１つ又は複数の提示上映候補作品の各々を上映する１つ又は複数の映画館の前記映画館の情報は、前記１つ又は複数の提示上映候補作品の各々の混雑状況を含み、
前記第２のサブシステムは、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品の混雑状況、前記提示上映作品のチケット購入用押下部を表示するバナー広告を表示するための情報を生成する請求項６又は７に記載のバナー広告配信システム。
【請求項９】
前記第２のサブシステムの前記第２の記憶部に、少なくとも１日に１回以上の頻度で、更新登録された、前記１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報は、前記バナー広告を表示するための情報を生成するために用いられるフォーマットに適合するように変換されたものである請求項６〜８のいずれか１項に記載のバナー広告配信システム。
【請求項１０】
前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部に、少なくとも１日に１回以上の頻度で、更新登録することは、前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部以外の記憶部の所定の場所に記憶し、第２のサブシステムの第２の記憶部に、少なくとも１日に１回以上の頻度で、前記第２のサブシステムの第２の記憶部以外の記憶部の所定の場所へのリンク情報を更新登録することによって行われる請求項６〜９のいずれか１項に記載のバナー広告配信システム。
【請求項１１】
１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録する第１のサブシステムであって、
前記第２のサブシステムは、
ユーザ端末からユーザ識別情報を受け付け、
前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、
前記ユーザ識別情報に対応するユーザ情報の少なくとも一部に基づいて、提示上映作品及び提示エリアを決定し、
決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、
前記バナー広告を表示するための情報を前記ユーザ端末側に送信するものである
第１のサブシステム。
【請求項１２】
前記第１のサブシステムは、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末に送信し、
前記チケット購入中間ページは、前記提示エリアに対応する、前記提示上映作品を上映する１つ又は複数の映画館が提供する前記提示上映作品のチケット購入ページへのリンク情報を含む請求項１１に記載の第１のサブシステム。
【請求項１３】
前記各エリアに対応付けられた、前記１つ又は複数の提示上映候補作品の各々を上映する１つ又は複数の映画館の前記映画館の情報は、前記１つ又は複数の提示上映候補作品の各々の混雑状況を含み、
前記第２のサブシステムは、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示候補上映作品を上映する映画館名、前記提示上映作品の上映時間、前記提示上映作品の混雑状況、前記提示上映作品のチケット購入用押下部を表示するバナー広告を表示するための情報を生成する請求項１１又は１２に記載の第１のサブシステム。
【請求項１４】
前記第２のサブシステムの前記第２の記憶部に、少なくとも１日に１回以上の頻度で、更新登録された、前記１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報は、前記バナー広告を表示するための情報を生成するために用いられるフォーマットに適合するように変換されたものである請求項１１〜１３のいずれか１項に記載の第１のサブシステム。
【請求項１５】
前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録することは、前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部以外の記憶部の所定の場所に記憶し、前記第２のサブシステムの第２の記憶部に、少なくとも１日に１回以上の頻度で、前記第２のサブシステムの第２の記憶部以外の記憶部の所定の場所へのリンク情報を更新登録することによって行われる請求項１１〜１４のいずれか１項に記載の第１のサブシステム。
【請求項１６】
映画館情報登録部が、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、記憶部に、少なくとも１日に１回以上の頻度で、更新登録するステップと、
ユーザ識別情報受付部が、ユーザ端末からユーザ識別情報を受け付けるステップと、
ユーザ識別情報取得部が、前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、
提示上映作品・提示エリア決定部が、前記ユーザ識別情報に対応するユーザ情報の少なくとも一部に基づいて、提示上映作品及び提示エリアを決定するステップと、
バナー広告生成部が、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、
バナー広告送信部が、前記バナー広告を表示するための情報を前記ユーザ端末側に送信するステップと、
前記ユーザ端末が、前記バナー広告を表示するための情報を受信し、前記ユーザ端末上に前記バナー広告を表示するステップと、
前記ユーザが前記提示上映作品のチケット購入用押下部を押下したことに応じて、前記ユーザ端末が、前記提示上映作品の識別情報、前記提示エリアを含むチケット購入用ページ生成用情報をチケット購入中間ページ生成部に送信するステップと、
前記チケット購入中間ページ生成部が、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成し、前記ユーザ端末側に送信するステップと、
を含むバナー広告提供方法。
【請求項１７】
映画館情報登録部が、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、記憶部に、少なくとも１日に１回以上の頻度で、更新登録するステップと、
ユーザ識別情報受付部が、ユーザ端末からユーザ識別情報を受け付けるステップと、
ユーザ識別情報取得部が、前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、
提示上映作品・提示エリア決定部が、前記ユーザ識別情報に対応するユーザ情報の少なくとも一部に基づいて、提示上映作品及び提示エリアを決定するステップと、
バナー広告生成部が、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、
バナー広告送信部が、前記バナー広告を表示するための情報を前記ユーザ端末側に送信するステップと、
を含むバナー広告配信方法。
【請求項１８】
チケット購入中間ページ生成部が、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するステップと、
を更に含み、
前記チケット購入中間ページは、前記提示エリアに対応する、前記提示上映作品を上映する１つ又は複数の映画館が提供する前記提示上映作品のチケット購入ページへのリンク情報を含む請求項１７に記載のバナー広告配信方法。
【請求項１９】
第１のサブシステムが、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、第２のサブシステムの第２の記憶部に、少なくとも１日に１回以上の頻度で、更新登録するステップと、
前記第２のサブシステムが、ユーザ端末からユーザ識別情報を受け付けるステップと、
前記第２のサブシステムが、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、
前記第２のサブシステムが、前記ユーザ識別情報に対応するユーザ情報の少なくとも一部に基づいて、提示上映作品及び提示エリアを決定するステップと、
前記第２のサブシステムが、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、
前記第２のサブシステムが、前記バナー広告を表示するための情報を前記ユーザ端末側に送信するステップと、
前記ユーザ端末が、前記バナー広告を表示するための情報を受信し、前記ユーザ端末上に前記バナー広告を表示するステップと、
前記ユーザが前記提示上映作品のチケット購入用押下部を押下したことに応じて、前記ユーザ端末が、前記提示上映作品の識別情報、前記提示エリアを含むチケット購入用ページ生成用情報を前記第１のサブシステムに送信するステップと、
前記第１のサブシステムが、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成するための情報を生成し、前記ユーザ端末側に送信するステップと、  
を含むバナー広告提供方法。
【請求項２０】
第１のサブシステムが、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録するステップと、
前記第２のサブシステムが、ユーザ端末からユーザ識別情報を受け付けるステップと、
前記第２のサブシステムが、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、
前記第２のサブシステムが、前記ユーザ識別情報に対応するユーザ情報の少なくとも一部に基づいて、提示上映作品及び提示エリアを決定するステップと、
前記第２のサブシステムが、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、
前記第２のサブシステムが、前記バナー広告を表示するための情報を前記ユーザ端末側に送信するステップと、
を含むバナー広告配信方法。
【請求項２１】
前記第１のサブシステムが、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するステップを更に含み、
前記チケット購入中間ページは、前記提示エリアに対応する、前記提示上映作品を上映する１つ又は複数の映画館が提供する前記提示上映作品のチケット購入ページへのリンク情報を含む請求項２０に記載のバナー広告配信方法。
【請求項２２】
第１のサブシステムによって実行されるバナー広告提供方法であって、
１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録するステップを含み、
前記第２のサブシステムは、
ユーザ端末からユーザ識別情報を受け付け、
前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、
前記ユーザ識別情報に対応するユーザ情報の少なくとも一部に基づいて、提示上映作品及び提示エリアを決定し、
決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、
前記バナー広告を表示するための情報を前記ユーザ端末側に送信するものである
バナー広告提供方法。
【請求項２３】
前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するステップを更に含み、
前記チケット購入中間ページは、前記提示エリアに対応する、前記提示上映作品を上映する１つ又は複数の映画館が提供する前記提示上映作品のチケット購入ページへのリンク情報を含む請求項２２に記載のバナー広告提供方法。
【請求項２４】
請求項１６〜２３に記載の方法をコンピュータに実行させるためのプログラム。
【請求項２５】
請求項２４に記載のプログラムを記録した記録媒体。
【発明の詳細な説明】
【技術分野】
【０００１】
本発明は、バナー広告を提供するためのシステム、方法、プログラム、及びプログラムを記録した記憶媒体に関する。
【背景技術】
【０００２】
インターネット上での広告手法として、バナー広告が広く用いられている（例えば、特許文献１参照）。そして、バナー広告の掲載期間は、通常約１週間以上である。このバナー広告は、映画の広告についても広く用いられている。映画のバナー広告には、映画のタイトル、画像、封切日、宣伝文句等が表示され、映画の公式ホームページ等へのリンクが埋められている。
【先行技術文献】
【非特許文献】
【０００３】
【非特許文献１】本間  康裕、「販促費も宣伝費もつぎ込む！勝ち抜くためのネット広告−ブランド構築や顧客開拓に威力」、日経ネットビジネス第５８号、日経ＢＰ社、2000年04月15日、107〜113頁
【発明の概要】
【発明が解決しようとする課題】
【０００４】
しかしながら、従来の映画のバナー広告においては、その映画を上映する映画館や各映画館での上映時間が表示されていない。そのため、自分の身近な映画館での上映時間を知るためには、バナー広告をクリックして映画の公式ホームページに移動してから、更に映画館を選択して上映時間を調べてチケットを購入するという手間がかかるので、潜在顧客を見込み客に変えて映画館に誘導しきれていなかった。
【０００５】
また、シネコンにおいては、日々上映作品や上映時間が変わるため、上述のように１日単位での広告コンテンツの変更を前提としていない従来のバナー広告システムでは、ユーザの閲覧時の最新のユーザの身近な映画館の上映時間を提示し、すぐに所望の上映時間のチケットを購入することが困難であった。
【０００６】
そこで、本発明は、日々変更される上映作品や上映時間にも対応してユーザの身近な映画館の上映時間を提示可能なバナー広告を提供するためのシステム、方法、プログラム、及びプログラムを記録した記録媒体を提供することを目的の１つとする。
【０００７】
また、本発明は、更に、バナー広告から所望の上映時間のチケットを購入可能なページへのアクセスを容易とするバナー広告を提供するためのシステム、方法、プログラム、及びプログラムを記録した記録媒体を提供することを目的の１つとする。
【課題を解決するための手段】
【０００８】
本発明者は、バナー広告の掲載期間は通常約１週間以上であるところから、バナー広告には約１週間以上固定のものしか表示されないという固定観念を打破し、そのような固定観念を前提とする従来のバナー広告提供システムを、日々変更される上映作品や上映時間にも対応してユーザの身近な映画館の上映時間を提示可能なものとするべく、また更に、バナー広告から所望の上映時間のチケットを購入可能なページへのアクセスを容易とするべく鋭意研究を重ねた。そして、少なくとも１日に１回以上という高い頻度でバナー広告の原稿を更新するという従来誰もが思いつかなかった着想に基づいて、以下のような態様の課題解決手段を発明したものである。
【０００９】
本発明の１つの態様は、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、記憶部に、少なくとも１日に１回以上の頻度で、更新登録する映画館情報登録部と、ユーザ端末からユーザ識別情報を受け付けるユーザ識別情報受付部と、前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するユーザ識別情報取得部と、前記ユーザ識別情報に対応するユーザ情報の少なくとも一部に基づいて、提示上映作品及び提示エリアを決定する提示上映作品・提示エリア決定部と、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するバナー広告生成部と、前記バナー広告を表示するための情報を前記ユーザ端末側に送信するバナー広告送信部と、前記バナー広告を表示するための情報を受信し、前記ユーザ端末上に前記バナー広告を表示し、前記ユーザが前記提示上映作品のチケット購入用押下部を押下したことに応じて、前記提示上映作品の識別情報、前記提示エリアを含むチケット購入用ページ生成用情報をチケット購入中間ページ生成部に送信するユーザ端末と、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成し、前記ユーザ端末側に送信する前記チケット購入中間ページ生成部とを含むバナー広告提供システムを提供するものである。
【００１０】
本発明の１つの態様は、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、記憶部に、少なくとも１日に１回以上の頻度で、更新登録する映画館情報登録部と、ユーザ端末からユーザ識別情報を受け付けるユーザ識別情報受付部と、前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するユーザ識別情報取得部と、前記ユーザ識別情報に対応するユーザ情報の少なくとも一部に基づいて、提示上映作品及び提示エリアを決定する提示上映作品・提示エリア決定部と、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するバナー広告生成部と、前記バナー広告を表示するための情報を前記ユーザ端末側に送信するバナー広告送信部とを含むバナー広告配信システムを提供するものである。
【００１１】
前記バナー広告提供システムは、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するチケット購入中間ページ生成部を更に含み、前記チケット購入中間ページは、前記提示エリアに対応する、前記提示上映作品を上映する１つ又は複数の映画館が提供する前記提示上映作品のチケット購入ページへのリンク情報を含むものとすることができる。
【００１２】
前記各エリアに対応付けられた、前記１つ又は複数の提示上映候補作品の各々を上映する１つ又は複数の映画館の前記映画館の情報は、前記１つ又は複数の提示上映候補作品の各々の混雑状況を含み、前記バナー広告生成部は、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示候補上映作品を上映する映画館名、前記提示上映作品の上映時間、前記提示上映作品の混雑状況、前記提示上映作品のチケット購入用押下部を表示するバナー広告を表示するための情報を生成するものとすることができる。
【００１３】
本発明の１つの態様は、第１のサブシステム、第２のサブシステム、及びユーザ端末を含むバナー広告配信システムであって、前記第１のサブシステムは、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、前記第２のサブシステムの第２の記憶部に、少なくとも１日に１回以上の頻度で、更新登録し、前記第２のサブシステムは、ユーザ端末からユーザ識別情報を受け付け、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、前記ユーザ識別情報に対応するユーザ情報の少なくとも一部に基づいて、提示上映作品及び提示エリアを決定し、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、前記バナー広告を表示するための情報を前記ユーザ端末に送信し、前記ユーザ端末は、前記バナー広告を表示するための情報を受信し、前記ユーザ端末上に前記バナー広告を表示し、前記ユーザが前記提示上映作品のチケット購入用押下部を押下したことに応じて、前記提示上映作品の識別情報、前記提示エリアを含むチケット購入用ページ生成用情報を前記第１のサブシステムに送信し、前記第１のサブシステムは、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成するための情報を生成し、前記ユーザ端末側に送信するバナー広告提供システムを提供するものである。
【００１４】
本発明の１つの態様は、第１のサブシステム及び第２のサブシステムを含むバナー広告配信システムであって、前記第１のサブシステムは、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部に、少なくとも１日に１回以上の頻度で、更新登録し、前記第２のサブシステムは、ユーザ端末からユーザ識別情報を受け付け、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、前記ユーザ識別情報に対応するユーザ情報の少なくとも一部に基づいて、提示上映作品及び提示エリアを決定し、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、前記バナー広告を表示するための情報を前記ユーザ端末側に送信する含むバナー広告配信システムを提供するものである。
【００１５】
前記第１のサブシステムは、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末に送信し、前記チケット購入中間ページは、前記提示エリアに対応する、前記提示上映作品を上映する１つ又は複数の映画館が提供する前記提示上映作品のチケット購入ページへのリンク情報を含むものとすることができる。
【００１６】
前記各エリアに対応付けられた、前記１つ又は複数の提示上映候補作品の各々を上映する１つ又は複数の映画館の前記映画館の情報は、前記１つ又は複数の提示上映候補作品の各々の混雑状況を含み、前記第２のサブシステムは、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品の混雑状況、前記提示上映作品のチケット購入用押下部を表示するバナー広告を表示するための情報を生成するものとすることができる。
【００１７】
前記第２のサブシステムの前記第２の記憶部に、少なくとも１日に１回以上の頻度で、更新登録された、前記１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報は、前記バナー広告を表示するための情報を生成するために用いられるフォーマットに適合するように変換されたものであるものとすることができる。
【００１８】
前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部に、少なくとも１日に１回以上の頻度で、更新登録することは、前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部以外の記憶部の所定の場所に記憶し、第２のサブシステムの第２の記憶部に、少なくとも１日に１回以上の頻度で、前記第２のサブシステムの第２の記憶部以外の記憶部の所定の場所へのリンク情報を更新登録することによって行われるものとすることができる。
【００１９】
本発明の１つの態様は、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録する第１のサブシステムであって、前記第２のサブシステムは、ユーザ端末からユーザ識別情報を受け付け、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、前記ユーザ識別情報に対応するユーザ情報の少なくとも一部に基づいて、提示上映作品及び提示エリアを決定し、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、前記バナー広告を表示するための情報を前記ユーザ端末側に送信するものである第１のサブシステムを提供するものである。
【００２０】
前記第１のサブシステムは、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末に送信し、前記チケット購入中間ページは、前記提示エリアに対応する、前記提示上映作品を上映する１つ又は複数の映画館が提供する前記提示上映作品のチケット購入ページへのリンク情報を含むものとすることができる。
【００２１】
前記各エリアに対応付けられた、前記１つ又は複数の提示上映候補作品の各々を上映する１つ又は複数の映画館の前記映画館の情報は、前記１つ又は複数の提示上映候補作品の各々の混雑状況を含み、前記第２のサブシステムは、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示候補上映作品を上映する映画館名、前記提示上映作品の上映時間、前記提示上映作品の混雑状況、前記提示上映作品のチケット購入用押下部を表示するバナー広告を表示するための情報を生成するものとすることができる。
【００２２】
前記第２のサブシステムの前記第２の記憶部に、少なくとも１日に１回以上の頻度で、更新登録された、前記１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報は、前記バナー広告を表示するための情報を生成するために用いられるフォーマットに適合するように変換されたものであるものとすることができる。
【００２３】
前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録することは、前記第１のサブシステムが、１つ又は複数の提示候補上映作品、及び各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、前記第２のサブシステムの第２の記憶部以外の記憶部の所定の場所に記憶し、前記第２のサブシステムの第２の記憶部に、少なくとも１日に１回以上の頻度で、前記第２のサブシステムの第２の記憶部以外の記憶部の所定の場所へのリンク情報を更新登録することによって行われるものとすることができる。
【００２４】
本発明の１つの態様は、映画館情報登録部が、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、記憶部に、少なくとも１日に１回以上の頻度で、更新登録するステップと、ユーザ識別情報受付部が、ユーザ端末からユーザ識別情報を受け付けるステップと、ユーザ識別情報取得部が、前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、提示上映作品・提示エリア決定部が、前記ユーザ識別情報に対応するユーザ情報の少なくとも一部に基づいて、提示上映作品及び提示エリアを決定するステップと、バナー広告生成部が、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、バナー広告送信部が、前記バナー広告を表示するための情報を前記ユーザ端末側に送信するステップと、前記ユーザ端末が、前記バナー広告を表示するための情報を受信し、前記ユーザ端末上に前記バナー広告を表示するステップと、前記ユーザが前記提示上映作品のチケット購入用押下部を押下したことに応じて、前記ユーザ端末が、前記提示上映作品の識別情報、前記提示エリアを含むチケット購入用ページ生成用情報をチケット購入中間ページ生成部に送信するステップと、前記チケット購入中間ページ生成部が、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成し、前記ユーザ端末側に送信するステップとを含むバナー広告提供方法を提供するものである。
【００２５】
本発明の１つの態様は、映画館情報登録部が、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、記憶部に、少なくとも１日に１回以上の頻度で、更新登録するステップと、ユーザ識別情報受付部が、ユーザ端末からユーザ識別情報を受け付けるステップと、ユーザ識別情報取得部が、前記記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、提示上映作品・提示エリア決定部が、前記ユーザ識別情報に対応するユーザ情報の少なくとも一部に基づいて、提示上映作品及び提示エリアを決定するステップと、バナー広告生成部が、決定された前記提示上映作品及び前記提示エリアと、前記記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、バナー広告送信部が、前記バナー広告を表示するための情報を前記ユーザ端末側に送信するステップとを含むバナー広告配信方法を提供するものである。
【００２６】
チケット購入中間ページ生成部が、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するステップとを更に含み、前記チケット購入中間ページは、前記提示エリアに対応する、前記提示上映作品を上映する１つ又は複数の映画館が提供する前記提示上映作品のチケット購入ページへのリンク情報を含むものとすることができる。
【００２７】
本発明の１つの態様は、第１のサブシステムが、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間及びチケット購入ページへのリンク情報を含む映画館の情報を、第２のサブシステムの第２の記憶部に、少なくとも１日に１回以上の頻度で、更新登録するステップと、前記第２のサブシステムが、ユーザ端末からユーザ識別情報を受け付けるステップと、前記第２のサブシステムが、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、前記第２のサブシステムが、前記ユーザ識別情報に対応するユーザ情報の少なくとも一部に基づいて、提示上映作品及び提示エリアを決定するステップと、前記第２のサブシステムが、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、前記第２のサブシステムが、前記バナー広告を表示するための情報を前記ユーザ端末側に送信するステップと、前記ユーザ端末が、前記バナー広告を表示するための情報を受信し、前記ユーザ端末上に前記バナー広告を表示するステップと、前記ユーザが前記提示上映作品のチケット購入用押下部を押下したことに応じて、前記ユーザ端末が、前記提示上映作品の識別情報、前記提示エリアを含むチケット購入用ページ生成用情報を前記第１のサブシステムに送信するステップと、前記第１のサブシステムが、前記チケット購入用ページ生成用情報に基づいて、前記提示エリアに対応する、前記提示上映作品を上映する１つ又は複数の映画館が提供する前記提示上映作品のチケット購入ページへのリンク情報を含むチケット購入中間ページを生成するための情報を生成し、前記ユーザ端末側に送信するステップとを含むバナー広告提供方法を提供するものである。
【００２８】
本発明の１つの態様は、第１のサブシステムが、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録するステップと、前記第２のサブシステムが、ユーザ端末からユーザ識別情報を受け付けるステップと、前記第２のサブシステムが、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得するステップと、前記第２のサブシステムが、前記ユーザ識別情報に対応するユーザ情報の少なくとも一部に基づいて、提示上映作品及び提示エリアを決定するステップと、前記第２のサブシステムが、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成するステップと、前記第２のサブシステムが、前記バナー広告を表示するための情報を前記ユーザ端末側に送信するステップとを含むバナー広告配信方法を提供するものである。
【００２９】
前記第１のサブシステムが、前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するステップを更に含み、前記チケット購入中間ページは、前記提示エリアに対応する、前記提示上映作品を上映する１つ又は複数の映画館が提供する前記提示上映作品のチケット購入ページへのリンク情報を含むものとすることができる。
【００３０】
本発明の１つの態様は、第１のサブシステムによって実行されるバナー広告提供方法であって、１つ又は複数の提示候補上映作品、並びに、各エリアに対応付けられた、前記１つ又は複数の提示上映候補作品の各々を上映する１つ又は複数の映画館の、映画館名、並びに前記１つ又は複数の提示上映候補作品の各々の上映時間、及びチケット購入ページへのリンク情報を含む映画館の情報を、第２のサブシステムの第２の記憶部に、少なくとも１日に１回以上の頻度で、更新登録するステップを含み、前記第２のサブシステムは、ユーザ端末からユーザ識別情報を受け付け、前記第２の記憶部に記憶された、前記ユーザ識別情報に対応する、デモグラフィック情報、閲覧履歴及び／又は位置履歴を含む行動履歴情報、嗜好情報の少なくとも一部を含むユーザ情報の少なくとも一部を取得し、前記ユーザ識別情報に対応するユーザ情報の少なくとも一部に基づいて、提示上映作品及び提示エリアを決定し、決定された前記提示上映作品及び前記提示エリアと、前記第２の記憶部に前記更新登録により記憶された、前記提示エリアに対応付けられた、前記提示上映作品を上映する１つ又は複数の前記映画館の情報に基づいて、前記提示上映作品名、前記提示上映作品を上映する映画館名、前記提示上映作品の上映時間、前記提示上映作品のチケット購入用押下部を表示するバナー広告を表示するための情報を生成し、前記バナー広告を表示するための情報を前記ユーザ端末側に送信するものであるバナー広告提供方法を提供するものである。
【００３１】
前記ユーザが前記提示上映作品のチケット購入用押下部を押下したことに応じて前記ユーザ端末から送信された、前記提示上映作品の識別情報、前記提示エリアを含むチケット購入用ページ生成用情報に基づいて、チケット購入中間ページを表示するための情報を生成し、前記ユーザ端末側に送信するステップを更に含み、前記チケット購入中間ページは、前記提示エリアに対応する、前記提示上映作品を上映する１つ又は複数の映画館が提供する前記提示上映作品のチケット購入ページへのリンク情報を含むものとすることができる。
【００３２】
本発明の１つの態様は、前記方法をコンピュータに実行させるためのプログラムを提供するものである。
【００３３】
本発明の１つの態様は、前記プログラムを記録したコンピュータ読み取り可能な記録媒体を提供するものである。
【００３４】
本明細書及び特許請求の範囲において、「ある情報をある記憶部に更新登録する」とは、ある情報を、ある記憶部以外の記憶部の所定の場所に記憶し、ある記憶部に、ある記憶部以外の記憶部の該所定の場所へのリンク情報を更新登録することも含む。
【００３５】
本明細書及び特許請求の範囲において、「ある記憶部に記憶されたある情報」とは、ある記憶部に記憶されたリンク情報にリンクされた、ある記憶部以外の記憶部の所定の場所に記憶されたある情報も含む。
【００３６】
本明細書及び特許請求の範囲において、「第１の情報と第２の情報を対応付けて記憶する」とは、第１の情報と第２の情報を直接対応付けて記憶することのみならず、第３の情報を介して間接的に対応付けて記憶することも含む。
【００３７】
本明細書及び特許請求の範囲において、バナー広告提供システム、バナー広告配信システム、バナー広告提供方法、バナー広告提供方法を構成する各部のいくつか、第１のサブシステム、第２のサブシステムの各構成要素のいくつかは、ユーザ端末に含まれることができる。
【００３８】
本明細書及び特許請求の範囲において、「ある情報をユーザ端末側に送信する」とは、ある情報をユーザ端末に直接送信することのみならず、ある情報が他の装置やシステムに送信され、その他の装置やシステムがそのある情報をユーザ端末に送信するような場合も含む。
【発明の効果】
【００３９】
上記構成を有する本発明によれば、日々変更される上映作品や上映時間にも対応してユーザの身近な映画館の上映時間を提示可能なバナー広告を提供することができる。更に、バナー広告から所望の上映時間のチケットを購入可能なページへのアクセスを容易とするバナー広告を提供することができる。
【図面の簡単な説明】
【００４０】
【図１】本発明の１つの実施形態に係るバナー広告提供システムの全体構成を示す図である。
【図２】本発明の１つの実施形態に係る第１のサブシステムのハードウエア構成図の例を示す図である。
【図３Ａ】提示候補上映作品の登録処理の一例のフローチャートである。
【図３Ｂ】バナー広告生成、配信処理の一例のフローチャートである。
【図３Ｃ】バナー広告表示、チケット購入処理の一例のフローチャートである。
【図４】バナー広告の一例を示す図である。
【図５】チケット購入中間ページの一例を示す図である。
【図６】映画館が提供するチケット購入ページの一例を示す図である
【発明を実施するための形態】
【００４１】
以下、本発明の実施形態について図面を参照して説明する。
【００４２】
図１は、本発明の１つの実施形態に係るバナー広告提供システムの全体構成を示す図である。バナー広告提供システム１は、第１のサブシステム１０、第２のサブシステム２０、ユーザ端末３０を備え、第１のサブシステム１０、第２のサブシステム２０、ユーザ端末３０は、ネットワーク４０を介して接続されている。また、第１のサブシステム１０、第２のサブシステム２０はバナー広告配信システム３を構成する。バナー広告配信システム３、第１のサブシステム１０、第２のサブシステム２０、ユーザ端末３０の各々は、１つの物理的な装置として構成される必要はなく、複数の物理的な装置から構成されてもよい。
【００４３】
第２のサブシステムは、広告プラットフォームのシステム等の任意の適切なシステムとすることができる。
【００４４】
端末３０としては、ＰＣ、スマートフォン、タブレット端末等の任意の適切な端末を用いることができる。
【００４５】
バナー広告配信システム３は、映画館情報収集部１０１、提示候補上映作品受付部１０３、提示候補上映作品登録部１０５、チケット購入中間ページ生成部１０７、第１の記憶部１０９、ユーザ識別情報受付部２０１、ユーザ情報取得部２０３、提示上映作品・提示エリア決定部２０５、バナー広告生成部２０７、バナー広告送信部２０９、第２の記憶部２１１を備える。
【００４６】
映画館情報収集部１０１は、各映画館についての、上映作品名、並びに各上映作品の上映開始日、上映終了日、年齢制限、上映形式（「日本語字幕」、「日本語吹替」、「３Ｄ日本語字幕」等）、上映時間、残席状況及びチケット購入ページのＵＲＬ等の各映画館に関連する情報を、各映画館のシステムから所定のタイミングで収集し、第１の記憶部１０９に記憶する。ここで、残席状況は他の適切な任意の混雑状況を示す情報としてもよい。
【００４７】
提示候補上映作品受付部１０３は、バナー広告の依頼を受けた管理者又はバナー広告の依頼者の端末からの入力により、提示候補上映作品及びポスター画像等の提示候補上映作品の画像情報を受け付け、第１の記憶部１０９に記憶する。
【００４８】
提示候補上映作品登録部１０５は、第１の記憶部１０９に記憶された１つ又は複数の提示候補上映作品、ポスター画像等の提示候補上映作品の画像情報、１つ又は複数の提示候補上映作品に対応付けられて第１の記憶部１０９に記憶された提示上映候補作品を上映する１つ又は複数の映画館の映画館名、並びに提示上映候補作品の上映時間、残席状況、及びチケット購入ページのＵＲＬを含む映画館の情報を所定の頻度で、第２のサブシステム２０の第２の記憶部２１１に更新登録する。
【００４９】
チケット購入中間ページ生成部１０７は、ユーザ端末３０から受信した提示上映作品の識別情報、上映日、提示エリアを含むチケット購入用ページ生成用情報に基づいて、チケット購入中間ページを表示するための情報を生成し、ユーザ端末３０に送信する。
【００５０】
第１の記憶部１０９は、各映画館についての、上映作品名、並びに各上映作品の上映開始日、上映終了日、年齢制限、上映形式（「日本語字幕」、「日本語吹替」、「３Ｄ日本語字幕」等）、上映時間、残席状況及びチケット購入ページのＵＲＬ等の各映画館に関連する情報、提示候補上映作品及びポスター画像等の提示候補上映作品の画像情報等の情報を記憶する。第１の記憶部１０９は、１つの物理的な装置として構成されてもよいし、複数の物理的な装置に分散して配置されてもよい。また、第１の記憶部１０９は、ブロックチェーンで構成されてもよい。
【００５１】
ユーザ識別情報受付部２０１は、ユーザ端末３０から送信されたユーザ識別情報を受け付ける。
【００５２】
ユーザ情報取得部２０３は、第２の記憶部２１１に記憶された、ユーザ識別情報に対応するユーザ情報（デモグラフィック情報、閲覧履歴や閲覧位置に関する情報といった行動履歴情報、嗜好情報等）の少なくとも一部を取得する。
【００５３】
提示上映作品・提示エリア決定部２０５は、ユーザ識別情報に対応するユーザ情報の少なくとも一部に基づいて、第２の記憶部２１１に更新登録された１つ又は複数の提示候補上映作品の中から、バナー広告において提示する提示上映作品を決定し、また、バナー広告において提示する映画館をユーザに関連するエリアの映画館とするために、バナー広告において提示する映画館のエリアである提示エリアを決定する。
【００５４】
バナー広告生成部２０７は、決定された提示上映作品及び提示エリア、第２の記憶部２１１に記憶された提示上映作品の画像情報、第２の記憶部２１１に記憶された、決定された提示エリアに対応付けられた、提示上映作品を上映する１つ又は複数の映画館の情報に基づいて、提示上映作品名５０１、提示上映作品のポスター画像５０２、提示候補上映作品を上映する映画館名５０３、提示上映作品の上映時間５０５及び残席状況５０７、並びに提示上映作品のチケット購入用押下部である第１のボタン５０９を表示するバナー広告を表示するための情報を生成する。
【００５５】
バナー広告送信部２０９は、生成されたバナー広告を表示するための情報をユーザ端末３０に送信する。
【００５６】
第２の記憶部２１１は、１つ又は複数の提示候補上映作品、ポスター画像等の提示候補上映作品の画像情報、１つ又は複数の提示候補上映作品に対応付けられた、提示上映候補作品を上映する１つ又は複数の映画館の映画館名、並びに提示上映候補作品の上映時間、残席状況、及びチケット購入ページのＵＲＬを含む映画館の情報、ユーザ識別情報に対応するユーザ情報（デモグラフィック情報、閲覧履歴や閲覧位置に関する情報といった行動履歴情報、嗜好情報等）等の情報を記憶する。第２の記憶部２１１は、１つの物理的な装置として構成されてもよいし、複数の物理的な装置に分散して配置されてもよい。また、第２の記憶部２１１は、ブロックチェーンで構成されてもよい。
【００５７】
ユーザ端末３０は、ユーザ識別情報を第２のサブシステム２０（ユーザ識別情報受付部２０１）に送信する。また、ユーザ端末３０は、バナー広告を表示するための情報を受信し、ユーザ端末３０上にバナー広告を表示し、バナー広告に表示された提示上映作品のチケット購入用押下部を押下したことに応じて、提示上映作品の識別情報、上映日、提示エリアを含むチケット購入ページ生成用情報を第１のサブシステム１０（チケット購入中間ページ生成部１０７）に送信する。
【００５８】
第１のサブシステム１０は、バナー広告配信システム３のうちの、映画館情報収集部１０１、提示候補上映作品受付部１０３、提示候補上映作品登録部１０５、チケット購入中間ページ生成部１０７、第１の記憶部１０９を備える。
【００５９】
第２のサブシステム２０は、バナー広告配信システム３のうちの、ユーザ識別情報受付部２０１、ユーザ情報取得部２０３、提示上映作品・提示エリア決定部２０５、バナー広告生成部２０７、バナー広告送信部２０９、第２の記憶部２１１を備える。
【００６０】
図２は、本実施形態に係る第１のサブシステム１０のハードウエア構成の例を示す図である。サーバ１０は、ＣＰＵ１０ａ、ＲＡＭ１０ｂ、ＲＯＭ１０ｃ、外部メモリ１０ｄ、入力部１０ｅ、出力部１０ｆ、通信部１０ｇを含む。ＲＡＭ１０ｂ、ＲＯＭ１０ｃ、外部メモリ１０ｄ、入力部１０ｅ、出力部１０ｆ、通信部１０ｇは、システムバス１０ｈを介して、ＣＰＵ１０ａに接続されている。
【００６１】
ＣＰＵ１０ａは、システムバス１０ｈに接続される各デバイスを統括的に制御する。
【００６２】
ＲＯＭ１０ｃや外部メモリ１０ｄには、ＣＰＵ１０ａの制御プログラムであるＢＩＯＳやＯＳ、コンピュータが実行する機能を実現するために必要な各種プログラムやデータ等が記憶されている。
【００６３】
ＲＡＭ１０ｂは、ＣＰＵの主メモリや作業領域等として機能する。ＣＰＵ１０ａは、処理の実行に際して必要なプログラム等をＲＯＭ１０ｃや外部メモリ１０ｄからＲＡＭ１０ｂにロードして、ロードしたプログラムを実行することで各種動作を実現する。
【００６４】
外部メモリ１０ｄは、例えば、フラッシュメモリ、ハードディスク、ＤＶＤ−ＲＡＭ、ＵＳＢメモリ等から構成される。
【００６５】
入力部１０ｅは、ユーザ等からの操作指示等を受け付ける。入力部１０ｅは、例えば、入力ボタン、キーボード、ポインティングデバイス、マイクロフォン、カメラ等の入力デバイスから構成される。
【００６６】
出力部１０ｆは、ＣＰＵ１０ａで処理されるデータや、ＲＡＭ１０ｂ、ＲＯＭ１０ｃや外部メモリ１０ｄに記憶されるデータを出力する。出力部１０ｆは、例えば、ＣＲＴディスプレイ、ＬＣＤ、有機ＥＬパネル、プリンタ、スピーカ等の出力デバイスから構成される。
【００６７】
通信部１０ｇは、ネットワークを介して又は直接、外部機器と接続・通信するためのインタフェースである。通信部１０ｇは、例えばシリアルインタフェース、ＬＡＮインタフェース等のインタフェースから構成される。
【００６８】
第２のサブシステム２０、端末３０のハードウエア構成も同様である。
【００６９】
図１に示されるサーバ１０の各部は、ＲＯＭ１０ｃや外部メモリ１０ｄに記憶された各種プログラムが、ＣＰＵ１０ａ、ＲＡＭ１０ｂ、ＲＯＭ１０ｃ、外部メモリ１０ｄ、入力部１０ｅ、出力部１０ｆ、通信部１０ｇ等を資源として使用することで実現される。また、第２のサブシステム２０、端末３０の各部についても同様である。
【００７０】
以上のシステム構成を前提に、本発明の１つの実施形態に係るバナー広告提供システムのバナー広告提供処理の例を、図１〜６等を参照して、以下に説明する。図３Ａは、提示候補上映作品の登録処理の一例のフローチャートである。図３Ｂは、バナー広告生成、配信処理の一例のフローチャートである。図３Ｃは、バナー広告表示、チケット購入処理の一例のフローチャートである。図４は、バナー広告の一例を示す図である。図５は、チケット購入中間ページの一例を示す図である。図６は、映画館が提供するチケット購入ページの一例を示す図である。
【００７１】
＜提示候補上映作品の登録＞
第１のサブシステム１０（映画館情報収集部１０１）が、各映画館についての、上映作品名、並びに各上映作品の上映開始日、上映終了日、年齢制限、上映形式（「日本語字幕」、「日本語吹替」、「３Ｄ日本語字幕」等）、上映時間、残席状況及びチケット購入ページのＵＲＬ等の各映画館に関連する情報を、各映画館のシステムから所定のタイミングで収集し、第１の記憶部１０９に記憶する（Ｓ１０１）。ここで、残席状況は他の適切な任意の混雑状況を示す情報としてもよい。
【００７２】
第１のサブシステム１０（提示候補上映作品受付部１０３）が、バナー広告の依頼を受けた管理者又はバナー広告の依頼者の端末からの入力により、提示候補上映作品の識別情報及びポスター画像等の提示候補上映作品の画像情報を受け付け、第１の記憶部１０９に記憶する（Ｓ１０３）。ここで、提示候補上映作品の識別情報は、提示候補上映作品の識別番号及び／又は提示候補上映作品名としてもよい。
【００７３】
第１のサブシステム１０（提示候補上映作品登録部１０５）が、第１の記憶部１０９に記憶された１つ又は複数の提示候補上映作品の識別情報、ポスター画像等の提示候補上映作品の画像情報、１つ又は複数の提示候補上映作品に対応付けられて第１の記憶部１０９に記憶された提示上映候補作品を上映する１つ又は複数の映画館の映画館名、並びに提示上映候補作品の上映時間、残席状況、及びチケット購入ページのＵＲＬを含む映画館の情報を所定の頻度で、第２のサブシステム２０の第２の記憶部２１１に更新登録する（Ｓ１０５）。
【００７４】
この更新登録は、上記のような各情報を、第２の記憶部２１１以外の記憶部の所定の場所に記憶し、第２の記憶部２１１に、第２の記憶部２１１以外の記憶部の該所定の場所へのリンク情報を更新登録することによって行ってもよい。例えば、上記のような情報を、第１の記憶部１０９の所定の場所に記憶し、第２の記憶部２１１に、第１の記憶部１０９の該所定の場所へのリンク情報を更新登録することによって行ってもよい。
【００７５】
提示上映候補作品を上映する１つ又は複数の映画館の情報は、各エリアに対応付けられている。すなわち、後述のとおり、バナー広告において、例えばユーザの行動範囲に関連するエリアに存在する映画館を提示するために、提示上映候補作品を上映する１つ又は複数の映画館の情報は、各都道府県といった予め設定された各エリアに対応付けられている。エリアの区分は、都道府県に限定されるものではなく、任意の適切な区分とすることができる。例えば、東京や大阪等の大都市については、更に細分化した区域をエリアとしてもよい。
【００７６】
また、提示上映候補作品を上映する１つ又は複数の映画館の情報の更新登録の頻度は、可能な限り高いことが好ましい。これは、残席状況をバナー広告にできるだけ正確に表示するためである。また、残席状況のバナー広告への表示は省略することができるが、その場合でも、提示上映候補作品を上映する１つ又は複数の映画館の情報の更新登録の頻度は、少なくとも１日に１回以上とすることが好ましい。これは、シネコン等では、少なくとも１日に１回以上の頻度で、上映時間や上映スクリーンが見直されることが多いため、そのような頻度で更新が行われないと、バナー広告において提示される情報が、現実と齟齬をきたす可能性があるためである。
【００７７】
更新登録される各情報は、後述のバナー広告５０を表示するための情報を生成するために用いられるフォーマットに適合するように変換されたものとすることができる。このような構成とすることによって、第２のサブシステム２０として、例えば広告プラットフォームのシステムを利用して、日々変更される上映作品や上映時間にも対応してユーザの身近な映画館の上映時間を提示可能なバナー広告を実現することができる。
【００７８】
＜バナー広告生成、配信＞
例えば、ユーザが、第２のサブシステム２０により提供される検索サイトでの検索結果のうちの１つのリンクをクリックすると、ユーザ端末３０からクッキー等のユーザ識別情報が、第２のサブシステム２０に送信され、第２のサブシステム２０（ユーザ識別情報受付部２０１）が、送信されたユーザ識別情報を受け付ける（Ｓ２０１）。
【００７９】
第２のサブシステム２０（ユーザ情報取得部２０３）が、第２の記憶部２１１に記憶された、ユーザ識別情報に対応するユーザ情報（デモグラフィック情報、閲覧履歴や閲覧位置に関する情報といった行動履歴情報、嗜好情報等）の少なくとも一部を取得する（Ｓ２０３）。このユーザ情報は、ユーザによる第２のサブシステム２０により提供される検索サイトの過去の閲覧によって、第２のサブシステム２０の第２の記憶部２１１に蓄積されているものである。
【００８０】
第２のサブシステム２０（提示上映作品・提示エリア決定部２０５）が、ユーザ識別情報に対応するユーザ情報の少なくとも一部に基づいて、第２の記憶部２１１に更新登録された１つ又は複数の提示候補上映作品の中から、バナー広告において提示する提示上映作品を決定し、また、バナー広告において提示する映画館をユーザに関連するエリアの映画館とするために、バナー広告において提示する映画館のエリアである提示エリアを決定する（Ｓ２０５）。提示上映作品の決定は、例えば、ユーザのデモグラフィック情報、閲覧履歴や閲覧位置に関する情報といった行動履歴情報、嗜好情報等の少なくとも一部に対して、所定の条件とマッチングを行い、最もマッチするものが選択される。また、提示エリアの決定は、例えば、ユーザの住所、閲覧位置等のユーザの位置に関するユーザ情報に基づいて決定することができる。
【００８１】
第２のサブシステム２０（バナー広告生成部２０７）が、決定された提示上映作品及び提示エリア、第２の記憶部２１１に記憶された提示上映作品の画像情報、第２の記憶部２１１に記憶された、決定された提示エリアに対応付けられた、提示上映作品を上映する１つ又は複数の映画館の情報に基づいて、提示上映作品名５０１、提示上映作品のポスター画像５０２、提示候補上映作品を上映する映画館名５０３、提示上映作品の上映時間５０５及び残席状況５０７、並びに提示上映作品のチケット購入用押下部である第１のボタン５０９を表示するバナー広告を表示するための情報を生成する（Ｓ２０７）。提示上映作品名は、上記のように提示上映作品の画像中に示されてもよいし、これに替えて又はこれに加えて、テキストデータに基づいて表示されてもよい。第１のボタン５０９には、ホスト名として第１のサブシステム１０、パス名として提示上映作品の識別情報、上映日、提示エリアを含むＵＲＬが埋め込まれている。
【００８２】
第２のサブシステム２０（バナー広告送信部２０９）が、生成されたバナー広告を表示するための情報をユーザ端末３０に送信する（Ｓ２０９）。ここで、バナー広告送信部２０９は、生成されたバナー広告を表示するための情報をユーザ端末側に送信することができる。すなわち、生成されたバナー広告を表示するための情報をユーザ端末に直接送信してもよいし、他の装置やシステムに送信し、その他の装置やシステムが生成されたバナー広告を表示するための情報をユーザ端末に送信するようにしてもよい。後者の場合として、例えば、生成されたバナー広告を表示するための情報を、ユーザが閲覧するウェブページを提供するウェブサーバに送信し、そのウェブサーバにおいて、生成されたバナー広告を表示するための情報がユーザが閲覧するウェブページに組み込まれ、その生成されたバナー広告を表示するための情報が組み込まれたウェブページがユーザ端末に送信されるようにしてもよい。
【００８３】
第２のサブシステム２０が、ユーザ識別情報に対応するユーザ情報を予め設定されたセグメント基準と対照させ、予め設定されたセグメント基準が満たされる場合にバナー広告を表示するための情報を前記ユーザ端末に送信する構成としてもよい。例えば、提示上映作品が、Ｒ１５指定の場合、セグメント基準を１５歳以上に設定し、ユーザ識別情報に対応するユーザ情報の年齢が１５歳以上であった場合に、その提示上映作品のバナー広告を送信し、１５歳未満であった場合は、その提示上映作品のバナー広告を送信しない構成とすることができる。この場合、Ｓ２０５に戻り、他の提示候補上映作品の中から、バナー広告において提示する提示上映作品を決定し、バナー広告を生成する。
【００８４】
＜バナー広告表示、チケット購入＞
ユーザ端末３０が、第２のサブシステム２０から送信されたバナー広告を表示するための情報を受信し、ユーザ端末上にバナー広告５０を表示する（Ｓ３０１）。バナー広告５０には、提示上映作品のポスター画像５０１、提示上映作品を上映する映画館の映画館名５０３、上映時間５０５、及び残席状況５０７、並びに第１のボタン５０９が表示される。決定された提示エリアに対応付けられた映画館が複数ある場合は、各映画館の映画館名、上映時間、残席状況が所定のタイミングでスライド表示される。
【００８５】
ユーザが、バナー広告に表示された第１のボタン５０９を押下したことに応じて、ユーザ端末３０が、提示上映作品の識別情報、上映日、提示エリアを含むチケット購入ページ生成用情報を第１のサブシステム１０に送信する（Ｓ３０３）。具体的には、ホスト名として第１のサブシステム１０、パス名として提示上映作品の識別情報、上映日、提示エリアを含むＵＲＬが第１のボタン５０９に埋め込まれており、ユーザが、第１のボタン５０９を押下したことに応じて、提示上映作品の識別情報、上映日、提示エリアを含むチケット購入ページ生成用情報が第１のサブシステム１０に送信される。
【００８６】
チケット購入用ページ生成用情報を第１のサブシステムに送信する手法は、これに限定されるものではなく、第１のボタン５０９を押下したことに応じて、ユーザ端末３０が、提示上映作品の識別情報、上映日、提示エリアを含むチケット購入ページ生成用情報を生成し、第１のサブシステムに送信する等任意の他の適切な手法を用いることができる。
【００８７】
第１のサブシステム１０（チケット購入中間ページ生成部１０７）が、ユーザ端末３０から受信した提示上映作品の識別情報、上映日、提示エリアを含むチケット購入用ページ生成用情報に基づいて、チケット購入中間ページを表示するための情報を生成し、ユーザ端末３０に送信する（Ｓ３０５）。
【００８８】
ユーザ端末３０が、第１のサブシステム１０（チケット購入中間ページ生成部１０７）から受信したチケット購入中間ページを表示するための情報を受信し、ユーザ端末３０上にチケット購入中間ページ６０を表示する（Ｓ３０７）。図５に示すように、チケット購入中間ページ６０には、提示上映作品名６０１、提示上映作品のポスター画像６０３、提示エリア６０５に対応づけられた、ユーザ端末３０が受信したチケット購入中間ページ生成用情報に含まれる上映日６０６に提示上映作品６０１を上映する１つ又は複数の映画館名６０７、各映画館の提示上映作品の上映時間６０８が表示され、各映画館が提供する提示上映作品のチケット購入ページにリンクされた第２のボタン６０９が一覧表示される。各映画館の各上映時間６０８は、上映形式毎にソートされて表示される。ここで、ユーザ端末３０が受信したチケット購入中間ページ生成用情報に含まれる上映日６０６の情報を用いずに、例えばユーザ端末３０の時計機能を用いて、提示上映作品を上映する１つ又は複数の映画館名、各映画館の提示上映作品の上映時間の表示対象日を決定してもよい。このような構成においては、チケット購入中間ページ生成用情報において、上映日の情報は省略できる。
【００８９】
また、チケット購入中間ページ６０には、検索ウインドウ６１１が表示される。検索ウインドウ６１１内には、更に、スケジュール選択部６１３、エリア選択部６１５、上映形式選択部６１７が表示される。スケジュール選択部６１３には、ユーザ端末３０が受信したチケット購入中間ページ生成用情報に含まれる上映日６０６を含む複数の検索対象日が第３のボタン６１３ａとして表示され、その中のいずれかを押下することにより上映日を選択することができる。エリア選択部６１５は、ラジオボタン６１５ａにより、選択対象エリアが表示され、その中のいずれかを押下することにより、エリアを選択することができる。上映形式選択部６１７は、ラジオボタン６１７ａにより、選択対象上映形式が表示され、その中のいずれかを押下することにより、上映形式を選択することができる。そして、選択された上映日、エリア、上映形式に合致する映画館名、第３のボタンを上述のように一覧表示することができる。この検索ウインドウ６１１によって、提示上映作品について、当初表示された、チケット購入用ページ生成用情報に含まれていた上映日、提示エリア以外の条件での映画館、上映時間の表示及びチケット購入を行うことができる。
【００９０】
ユーザが、ある第２のボタン６０９を押下すると、図６に示されるような、各映画館が提供する、提示上映作品のその第２のボタン６０９に対応する上映時間のチケット購入ページ７０がユーザ端末３０上に表示される（Ｓ３０９）。ユーザは、表示されたチケット購入ページ７０に表示された座席７０１から希望の座席を押下することにより、チケットを購入することができる。
【００９１】
上記実施形態においては、第１のサブシステム１０により生成されたチケット購入中間ページ６０を介して、各映画館が提供するチケット購入ページ７０に到達する構成であったが、バナー広告に表示された提示上映作品のチケット購入用押下部である第２のボタン６０９を押下したことに応じて、直接各映画館のチケット購入ページに到達する構成としてもよい。
【００９２】
上記実施形態においては、バナー広告配信システム３は、映画館情報収集部１０１、提示候補上映作品受付部１０３、提示候補上映作品登録部１０５、チケット購入中間ページ生成部１０７、第１の記憶部１０９を備える第１のサブシステム１０と、ユーザ識別情報受付部２０１、ユーザ情報取得部２０３、提示上映作品・提示エリア決定部２０５、バナー広告生成部２０７、バナー広告送信部２０９、第２の記憶部２１１を備える第２のサブシステム２０から構成されていたが、バナー広告配信システム３は、そのような構成に限定されるものではなく、他の任意の適切な構成とすることができる。
【００９３】
本実施形態によれば、日々変更される上映作品や上映時間にも対応してユーザの身近な映画館の上映時間を提示可能なバナー広告を提供することができる。更に、バナー広告から所望の上映時間のチケットを購入可能なページへのアクセスを容易とするバナー広告を提供することができる。これにより、ユーザの閲覧時の最新のユーザの身近な映画館の上映時間を提示し、すぐに所望の上映時間のチケットを購入することが容易となるので、潜在顧客を見込み客に変えて映画館に誘導することができる。
【００９４】
以上、本発明について、例示のためにいくつかの実施形態に関して説明してきたが、本発明はこれに限定されるものでなく、本発明の範囲及び精神から逸脱することなく、形態及び詳細について、様々な変形及び修正を行うことができることは、当業者に明らかであろう。
【符号の説明】
【００９５】
１  バナー広告提供システム
３  バナー広告配信システム
１０  第１のサブシステム
１０１  映画館情報収集部
１０３  提示候補上映作品受付部
１０５  提示候補上映作品登録部
１０７  チケット購入中間ページ生成部
１０９  第１の記憶部１０９
２０  第２のサブシステム
２０１  ユーザ識別情報受付部
２０３  ユーザ情報取得部
２０５  提示上映作品・提示エリア決定部
２０７  バナー広告生成部
２０９  バナー広告送信部
２１１  第２の記憶部
３０  ユーザ端末
４０  ネットワーク
５０  バナー広告
５０１  提示上映作品のポスター画像
５０３  提示上映作品を上映する映画館の映画館名
５０５  上映時間
５０７  残席状況
５０９  第１のボタン
６０  チケット購入中間ページ
６０１  提示上映作品名
６０３  提示上映作品のポスター画像
６０５  提示エリア
６０６  上映日
６０７  上映日に提示上映作品を上映する１つ又は複数の映画館名
６０８  上映時間
６０９  第２のボタン
６１１  検索ウインドウ
６１３  スケジュール選択部
６１３ａ  第３のボタン
６１５  エリア選択部
６１５ａ  ラジオボタン
６１７  上映形式選択部
６１７ａ  ラジオボタン
７０  チケット購入ページ
７０１  座席
【図１】
2020160671.tif 000003
【図２】
2020160671.tif 000004
【図３Ａ】
2020160671.tif 000005
【図３Ｂ】
2020160671.tif 000006
【図３Ｃ】
2020160671.tif 000007
【図４】
2020160671.tif 000008
【図５】
2020160671.tif 000009
【図６】
2020160671.tif 000010